(57)【要約】      （修正有）【課題】フェンス、手すり或いはパラペット上に取り付け、フェンスを攀じ登り越えようとする者の手が行為の過程において本装置に接触し痛覚を発することで、自主的に手を引っ込め、攀じ登る、或いは乗り越える動作を停止し、こうして高所からの墜落事故を予防する。【解決手段】本体部２、取り付け部３を備え、該本体部２の一端には間隔を備えた複数の突起物２０を設置し、該本体部２の反対端には取り付け部３を連接し、該相互に隣接する突起物２０の間隔は約１０〜４０ｍｍで、接触者の手が少なくとも２個以上の突起物に及ぶことを基本とし、該突起物は人に怪我をさせることがないよう先端が鋭利でない形状の頂点部２０１を備え、頂点部２０１は平面で、その面積は３〜２０ｍｍ２が適当で、弧面或いは球面の場合、該弧面或いは球面の曲率半径は１〜６ｍｍが適当である。【選択図】図２
0003132713.tif 000002
【実用新案登録請求の範囲】
【請求項１】
本体部を備え、該本体部の一端には間隔を備えた複数の突起物を設置し、該相互に隣接する突起物の間隔は約１０〜４０ｍｍで、接触者の手が少なくとも２個以上の突起物に及ぶことを基本とし、しかも該突起物は先端が鋭利でない形状の頂点部を備えることを特徴とする墜落予防の装置。
【請求項２】
前記突起物の頂点部は平面で、その面積は３〜２０ｍｍ２が適当であることを特徴とする請求項１記載の墜落予防の装置。
【請求項３】
前記突起物の頂点部は弧面或いは球面で、該弧面或いは球面の曲率半径は１〜６ｍｍが適当であることを特徴とする請求項１記載の墜落予防の装置。
【請求項４】
前記本体部の反対端には取り付け部を連接し、これにより装置をフェンス、手すり、或いはパラペット上に取り付けることを特徴とする請求項１、２、３記載の墜落予防の装置。
【請求項５】
前記取り付け部上には定位孔を設置することを特徴とする請求項４記載の墜落予防の装置。
【請求項６】
前記取り付け部の背面には両面接着テープ或いは粘着材を接着可能であることを特徴とする請求項４記載の墜落予防の装置。
【請求項７】
前記取り付け部は平板形であることを特徴とする請求項４記載の墜落予防の装置。
【請求項８】
前記取り付け部は弧形板であることを特徴とする請求項４記載の墜落予防の装置。
【請求項９】
前記本体部と該取り付け部は一体成型することを特徴とする請求項４記載の墜落予防の装置。
【請求項１０】
前記取り付け部或いは本体部の材料は鉄、アルミニウム、ステンレス、プラスチック、樹脂、或いは硬質木材などであることを特徴とする請求項４記載の墜落予防の装置。
【考案の詳細な説明】
【技術分野】
【０００１】
本考案は一種の高所からの墜落を予防する装置に関する。特に一種のフェンス、手すり或いはパラペット上に取り付け、フェンスを攀じ登り越えようとする者の手が行為の過程において本装置に接触し痛覚を発することで、自主的に手を引っ込め、攀じ登る、或いは乗り越える動作を停止し、こうして高所からの墜落事故を予防する墜落予防の装置に係る。
【背景技術】
【０００２】
屋上庭園、ベランダ、階段踊場などに設置するフェンス或いはパラペットの設置意図は、高所からの墜落事故の発生を防ぐことである。しかし、学齢前(２〜８歳)の幼児は、一定の行動範囲と活動の自主性を備えながら、危険に対する判断力と注意力が十分でないため、親やその場にいた大人がわずかに目をそらした隙に、フェンスを攀じ登り墜落するという事故が発生している。
台湾、日本、或いは欧米などの先進国で制定される建築法規においては、フェンスに対しては高さの規定があるのみで、デザインに関しては建築士或いは設計士が自ら決めることができる。これまでは、幼児がフェンスを攀じ登り事故が発生することを防止するために、多くのフェンスは図８に示す縦棒式の設計を採用している。しかし、この種の縦棒のフェンスは外から見ると「おり」のような感覚を与え、そのデザインはそれが設置される建築物とマッチしていない。しかも、この種のフェンスは安全性に対して、その間隔の幅、或いは足掛かりの高さだけが考慮されている。しかし、フェンスのそばに椅子などの台があり、身体の重心がフェンスの高さを越える場合には、フェンスを乗り越えることを効果的に阻止することはできない。
また、図１に示す横棒式１０フェンス１の設計では、外観上は建築物とマッチしているが、このタイプのフェンスは足をかけやすいため、攀じ登りを効果的に阻止することはより一層困難である。
【特許文献１】特開平７−１８５０２８号公報
【考案の開示】
【考案が解決しようとする課題】
【０００３】
公知フェンス或いはパラペットは幼児の攀じ登りを阻止できず、しかもフェンスのデザインを考慮できないという欠点があった。これに鑑み、本考案人は苦心惨憺し改善を求め、長期に及ぶ研究と観察を経て、フェンスを攀じ登ろうとする状況の多くは先ず手をフェンスの手すり上におくものだということを発見した。このため、この動作の発生時に適当な警告或いは反応を提出すれば、事故の発生を当然大幅に減少させることができると考える。
【課題を解決するための手段】
【０００４】
人類の皮膚の感覚器は「熱、冷、触、痛」の４種があり、通常は点状を呈し分布している。内、「痛」点は最も数が多く、刺激が強烈である時には、他の感覚が麻痺していても、痛覚は最後まで保留される。しかも刺激が強くなればなるほど、痛覚は明確になる。痛点は全身に約２００万個余りが分布し、特に手、足部分に集中し、１ｃｍ２  当たり平均で約１５０個が存在する。該痛覚が生じた瞬間は脳へと信号が伝送され、これにより痛みを招く動作が継続して行われることを直ちに停止させる。よって、この重要なタイミングを逃さなければ、フェンスを攀じ登る動作に対する応用により、事故の発生を大幅に減少させることができると確信する。
単に手を平面のフェンス上においても痛覚はほとんど発生しないが、点の部分に接触すれば疼痛感がある。特に、フェンスを攀じ登ろうとする時には、手は身体の重量を受け止める必要があるため、この種の痛覚の発生は直ちに脳を導引しすべての動作の停止を要求させる。例えば、フェンスに接触した手を引っ込めることで、該フェンスを攀じ登ろうとする動作の継続進行を停止することができる。
上記の理論を基礎とし、本考案人は下記の墜落予防の装置を提供する。
それは主にＤＩＹの方式でフェンス、手すり、或いはパラペット上に取り付けることができ、フェンスを攀じ登ろうとする人は手が接触し、力が加わると痛覚を発生し、こうしてその攀じ登ろうとする動作の進行を停止可能で、
またそれは、危険を予告する効果をも達成し、特に学齢前の幼児に対しては危険な物体への印象と記憶を深めることができ、行為への判断力を養い、安全教育に役立ち、
さらに本考案の取り付けと使用により、フェンスのデザインに対する制限を減少させることができ、つまり設計者により大きな設計の余地と自由を提供可能で、これによりフェンスはそれを設置する建築物の外観とマッチし、さらには美化の効果をも提供することができる。
【考案の効果】
【０００５】
上記のように、本考案はフェンス手すり或いはパラペット上に取り付け、フェンスを攀じ登り越えようとする者の手が行為の過程において本装置に接触し痛覚を発することで、自主的に手を引っ込め、攀じ登る、或いは乗り越える動作を停止し、こうして高所からの墜落事故を予防することができる。
【考案を実施するための最良の形態】
【０００６】
図２〜７に示すように、本考案は本体部２と取り付け部３を含む。該本体部２の一端には間隔を備えた複数の突起物２０を設置し、該本体２の反対端には該取り付け部３を連接する。該相互に隣接する突起物２０の間隔ａの範囲は１０〜４０ｍｍで、接触者の手のひらが少なくとも２個以上の突起物２０に及ぶことを基本とする。該突起物２０は頂点部２０１を備え、該頂点部２０１は人に怪我をさせることを避けるため、先端が鋭利な形状としてはならない。頂点部２０１は平面とすることができ、その面積は３〜２０ｍｍ２が適当である。もし弧面或いは球面である場合には、該弧面或いは球面の曲率半径（ｒ）は１〜６ｍｍで、こうして接触時に接触者に痛みを感じさせることができる。
【０００７】
該本体部２と該取り付け部３は一体成型とするこもでき、材質は鉄、アルミニウム、ステンレス、プラスチック、樹脂、或いは硬質木材などである。
該取り付け部３は様々なフェンスの形状、或いはその他使用の環境に応じて成型し、図２、３に示す平板形、図４に示す弧状形板などとすることができる。重要な点は、該取り付け部３を指定の場所に安定的に取り付け可能なことである。
その工法は図２に示すように、該取り付け部３上に定位孔３０を開設し、ネジ４などの工具によりフェンス５上において固定する。当然、該取り付け部３の背面において両面接着テープなどの粘着材を接着し、これにより該フェンス５と固定することもできる。このように簡単かつ便利な取付け方式により、使用者は必要な時期に、自分自身でＤＩＹにより取り付け或いは取り外しが可能で、コストを節減することができ、消費者の購買意欲を高め、環境の安全性をも向上させることができる。
【０００８】
本考案の使用状態図である図８に示すように、本装置は該フェンス５の手すり５０上に取り付けることができる。図９に示すように、幼児が該フェンス５を攀じ登ろうとすると、手６が該突起物２０に接触し、しかも該突起物２０は若干の点状分布のように間隔を開けて排列するため、手６が圧力をかければ（身体の重量も加える）、「痛覚」が生じ、該攀じ登ろうとしていた者は瞬間的に自主的に手６をどかし、攀じ登ろうとする動作を停止する。こうしてフェンスから墜落する事故を防止することができる。これはまた、該攀じ登ろうとする者、特に学齢前の幼児に危険を知らせる信号として記憶が形成され、類似の行為を取ることを回避することができ、最適な安全教育ということができる。
【０００９】
さらに、該フェンス５上に本装置を取り付けることで、該突起物２０の形状、排列、分布により、該フェンス５に対して美化効果を生じることもできる。つまり、本装置の創造的な設計は安全性に対して考慮する他に、対応物件の視角効果をも考慮した設計で、その実用の価値を向上させることができる。
上記は本考案の技術手段を利用した単一の最適実施例で、本考案の請求範囲を限定するものではない。当該技術を熟知する者なら誰でも、本考案の精神の範囲内で各種の変動や潤色を加えることができ、したがって本考案の保護範囲は、請求の範囲で指定した内容を基準とする。
【図面の簡単な説明】
【００１０】
【図１】公知フェンスの外観図である。
【図２】本考案の外観図である。
【図３】本考案を物件に取り付ける様子を示す組み合わせ状態図である。
【図４】本考案を異なる形状の物件に取り付ける様子を示す組み合わせ状態図である。
【図５】本考案の突起物頂点部が平面形状を呈する参考図である。
【図６】本考案の突起物頂点部が弧面形状を呈する参考図である。
【図７】本考案の突起物頂点部が球面形状を呈する参考図である。
【図８】本考案をフェンスの手すりに取り付ける実施例の参考図である。
【図９】攀じ登ろうとする者が手で本考案に接触する様子を示す参考指示図である。
【符号の説明】
【００１１】
２  本体部
２０  突起物
２０１  突起物の頂点部
ａ  隣接する突起物の間隔
ｒ  突起物の曲率半径
３  取り付け部
３０  定位孔
４  ネジ
５  フェンス
５０  フェンスの手すり
６  手
【図１】
0003132713.tif 000003
【図２】
0003132713.tif 000004
【図３】
0003132713.tif 000005
【図４】
0003132713.tif 000006
【図５】
0003132713.tif 000007
【図６】
0003132713.tif 000008
【図７】
0003132713.tif 000009
【図８】
0003132713.tif 000010
【図９】
0003132713.tif 000011
【手続補正書】
【提出日】平成19年3月28日(2007.3.28)
【手続補正１】
【補正対象書類名】実用新案登録請求の範囲
【補正対象項目名】請求項４
【補正方法】変更
【補正の内容】
【請求項４】
前記本体部の反対端には取り付け部を連接し、これにより装置をフェンス、手すり、或いはパラペット上に取り付けることを特徴とする請求項１〜３のいずれか１項に記載の墜落予防の装置。
【手続補正２】
【補正対象書類名】実用新案登録請求の範囲
【補正対象項目名】請求項１０
【補正方法】変更
【補正の内容】
【請求項１０】
前記取り付け部或いは本体部の材料は鉄、アルミニウム、ステンレス、プラスチック、樹脂、或いは硬質木材であることを特徴とする請求項４記載の墜落予防の装置。